(57)【要約】【課題】  簡単な操作で上下の絞りロールの取出しを容易とする。【解決手段】  移送機構により移送されてくる円盤の付着洗浄液を除去する絞り機構が、上下対をなす吸水性の絞りロール１０ａ，１０ｂを主体として構成されているとともに、各絞りロール１０ａ，１０ｂの両端を支持する支持バー１２ａ，１２ｂ，１６ａ，１６ｂの引き出し操作により、支持バー１２ａ，１２ｂ，１６ａ，１６ｂに対して絞りロール１０ａ，１０ｂが脱着自在に構成されている。【選択図】        図３
2004154594.tif 000002
【特許請求の範囲】
【請求項１】
移送機構により移送されてくる円盤の付着洗浄液を除去する絞り機構が、上下対をなす吸水性の絞りロールを主体として構成されているとともに、各絞りロールの両端を支持する支持バーの引き出し操作により、支持バーに対して絞りロールが脱着自在に構成されている円盤洗浄装置における絞り機構。
【請求項２】
前記絞りロールの両端を支持する支持バーのうち、一方の支持バーは摺動自在に構成され、他方の支持バーは固定されている請求項１記載の円盤洗浄装置における絞り機構。
【請求項３】
前記上部絞りロールの両端を支持する支持バーが揺動機構により支持され、上部絞りロールが下部絞りロールに対向する絞り位置とそれより外方の取外し位置とに選択的に変更操作自在に構成されている請求項１記載の円盤洗浄装置における絞り機構。
【発明の詳細な説明】
【技術分野】
【０００１】
本発明は、円盤、例えば遊戯用メダルまたは硬貨等（以下これらを単に円盤という）を洗浄液で洗浄し、ついで付着洗浄液を脱水除去する一連の工程を自動的に行う円盤洗浄装置における絞り機構に関する。
【背景技術】
【０００２】
上記円盤洗浄装置としては、例えば大量の遊戯用メダルの洗浄装置として、洗浄液に浸漬された洗浄用回転ドラム内に投入し、該ドラムの回転により洗浄すると共に、これを順次の一側に移行し、これを取出して絞り手段に移送し、付着液を除去する手段が採られている。例えば特開平６ー３１５５６８号公報に示す円板状体洗浄装置（以下公知例という）等がある。
【０００３】
この洗浄装置は、洗浄液槽内の洗浄液に下部を浸漬した洗浄用回転ドラムと、該回転ドラム内の洗浄完了の被洗浄物を受取りこれを付着液を除去する絞り機構に移送する移送用コンベアとを備える。回転ドラムは内部出口側に掻上げ羽根を取付ける。
【０００４】
なお、上記公知例では絞り機構として上下対をなす２組の吸水性の絞りロールを前後して設けた構造が示されている。
【０００５】
上記構成において、回転ドラム内に供給されたメダル等の円盤は、該ドラムの回転に伴い洗浄され、掻上げ羽根によりコンベアに移行され、絞り機構に移送され、付着液を絞りロールにより吸着除去して排出する。
【発明の開示】
【発明が解決しようとする課題】
【０００６】
上記絞り機構の絞りロールは、使用に伴い汚損し、度々これを取出し洗浄する必要がある。しかしこの絞りロールは通常支持枠に取付けられたベアリングに支持されており、かつ上下の絞りロールは相互に圧着されており、狭い場所での取替えは困難で手数を要するものである。
【０００７】
本発明はかゝる点に鑑み、簡単な操作で上部絞りロールの着脱を行い、上下の絞りロールの取出しを容易とすることを目的とする。
【課題を解決するための手段】
【０００８】
上記目的を達成するための第１の発明は、洗浄機構と、該洗浄機構により洗浄された円盤を移送する移送機構と、該移送機構により移送された円盤の付着液を除去する絞り機構とより構成され、該絞り機構は上下対をなす絞りロールを主体として構成され、下部絞りロールは固定ロールとし、上部絞りロールは揺動機構により支持され、該揺動機構は上部絞りロールを下部絞りロールに対向する絞り位置と、それより外方の取外し位置とに選択して固定する位置決め手段を備えたことを特徴とする。
【０００９】
上記の構成からなる本発明は、上部絞りロールを揺動機構により支持し、該ロールを絞り位置と、それより外方の取外し位置とに選択して移行し、その位置決めを行うことにより、常時は上部絞りロールを下部絞りロールに圧接保持すると共に、取出し位置に移行することによりその取出しは容易であり、これに伴い下部の絞りロールの着脱も容易である。
【００１０】
また第２の発明は、上記揺動機構は、絞りロールの両端を支持する左右対をなす揺動腕と、左右の揺動腕に対し長手方向に揺動可能に取付けられる連結用操作バーとを備え、位置決め手段は絞りロール支持枠に上記操作バーに対向する位置に形成される逆Ｕ字状の操作バー案内溝を主体とし、該溝の一方の垂下溝への操作バーの挿入は上部絞りロールを下部絞りロールに対し圧着する絞り位置に保持する作動保持溝とし、他方の垂下溝への操作バーの挿入は、上部絞りロールを下部絞りロールより離間した着脱位置に保持する操作溝としたことを特徴とする。
【００１１】
上記の構成からなる本発明は、操作バーを絞りロール支持枠に形成した逆Ｕ字状案内溝に添って移行することにより、上部絞りロールを絞り位置及び取外し位置に容易に移行し、その位置を保持することができる。
【００１２】
また第３の発明は、上記操作ハンドルには上方に突出する突出腕を備え、操作ハンドルの操作による上部絞りロールを下部絞りロールに対し開放位置への移行時、上記突出腕は筐体に取付けた操作のための開閉扉の閉成を阻害する位置に突出することを特徴とする。
【００１３】
上記の構成からなる本発明は、上部絞りロールが正規の位置に復帰するまでは突出腕が筐体より突出しており、この状態で操作のための開閉扉を閉ざすことはできず、操作の安全を計ることができる。
【発明を実施するための最良の形態】
【００１４】
図１乃至図３は本発明の実施例を示す。図の円盤洗浄装置１は前記従来例と同様に、洗浄液槽２内の洗浄液に浸漬される洗浄用回転ドラム３と、該回転ドラムによる洗浄完了の被洗浄物を付着液を除去する絞り機構４に移送する移送用コンベア５とを備える。６は回転ドラム３出口側内部に設けられた掻上げ羽根を示す。なお、７は円盤洗浄装置１の外部筐体、８は移送用コンベア５及び絞り機構４とを収納する支持枠を示す。
【００１５】
上記絞り機構４は、対をなす吸水性の絞りロール１０ａ、１０ｂと、それぞれのロールに対向して設けられる付着液除去ロール１１ａ、１１ｂとより構成される。上部絞りロール１０ａは両端を支持バー１２ａ、１２ｂにより着脱可能に支持され、かつ一方の支持バー１２ａはベアリング１３ａに摺動可能に支持し、他方の支持バー１２ｂはベアリング１３ｂに固定して支持せしめる。
【００１６】
１４は支持バー１２ａとベアリング１３ａとの固定部材を示し、ベアリング内筒１４ａの延長部にはキャップ１４ｂを螺合し、支持バー１２ａとキャップ１４ｂの内孔との間に押圧バネ１４ｃを介入し、常時は該バネ１４ｃにより支持バー１２ａを絞りロール１０ａに対し保持方向に付勢している。そして絞りロール１０ａの着脱操作に際しては、キャップ１４ｂをベアリング内筒１４ａから取外すことにより支持バー１２ａを引き出し、絞りロール１０ａを他方の支持バー１２ｂからも離脱可能としたものである。なお、１４ｄはキャップ１４ｂの脱落防止のための適宜長さのボルトを示す。
【００１７】
他方の絞りロール１０ｂに対しても同様の支持構造であり、説明を省略する。ただし両ベアリング１５ａ、１５ｂは、共に支持枠８に固定して取付けられる。但し１６ａは可動支持バー、１６ｂは固定支持バーを示し、固定支持バー１６ｂは駆動軸と連結されている。
【００１８】
上記上部絞りロール１０ａを支持する左右の両ベアリング１３ａ、１３ｂは揺動機構２０により支持される。この揺動機構２０は支持枠８の外部に位置して配備され、それぞれ中央適所を回転軸２１、２１を中心として揺動可能の対をなす揺動腕２２、２２を備え、該腕の下方の延長部には長手方向の長孔２３、２３を形成し、支持枠８にはこれに対応して逆Ｕ字状の案内溝２４、２４を形成し、これらの孔及び溝２３、２４を貫通して操作バー２５を貫挿する。また中央部は前記ベアリング１３ａ、１３ｂのハウジング１７ａ、１７ｂと連結する。  但し上記支持枠８に形成した逆Ｕ字状案内溝２４、２４は外方の垂下溝２４ａは操作バー２５を位置したときは、上部絞りロール１０ａを下部絞りロール１０ｂに圧接する絞り作業位置に保持する作動保持溝とし、また他方の内方の垂下溝２４ｂは操作バー２５を位置したときは、絞りロール１０ａの着脱操作を行う操作溝としたものである。
【００１９】
この左右の揺動腕２２、２２は上方に延長して突出部２２ａ、２２ａを備える。この突出部２２ａは、上部絞りロール１０ａの絞り位置にあるときは、垂直状態にあり、取外し位置にあるときは、外方に突出する。この突出位置は円盤洗浄装置１の筐体７の操作用開閉扉３０の開放時にはその開口部３１より突出する長さを有せしめる。
なお、３２ａ、３２ｂは揺動機構２０により揺動される支持バー１２ａ、１２ｂの移行を許容するために支持枠８に形成した溝を示す。
【００２０】
上記構成において、常時は操作バー２５を案内溝２４の作動保持溝２４ａに位置し、上部絞りロール１０ａを下部絞りロール１０ｂに圧着保持し、供給される円盤Ｗを挟持することにより、付着液を吸収除去する。この吸収した液が飽和状態に到達したときは、それぞれ除去ロール１１ａ、１１ｂにより絞り出され、下部除去ロール１１ｂにより絞り出された液はそのまゝ落下排出され、上部除去ロール１１ａにより絞り出された液は、適宜手段にて側方に導かれ、排出される。
【００２１】
しかし長時間の使用により、絞りロールは汚損され、これを取出し清掃する必要がある。しかし上部絞りロールは下部絞りロールに圧着されており、そのまゝ取外すことは、設置場所が狭く困難である。本発明はこれを容易に行うようにしたもので、筐体７の操作用開閉扉３０を開き、操作バー２５を支持枠８に形成した逆Ｕ字状の案内溝２４に添って移行し操作溝２４ｂ側に移行する。これにより上部絞りロール１０ａは下部絞りロール１０ｂと離間した着脱操作の容易な操作位置に移行する。この状態においてキヤップ１４ｂを外し、支持バー１２ａを引き出し絞りロール１０ａを他方の支持バー１２ｂより外して外方に取出し、清掃または他の絞りロールと交換する。ついで下部絞りロールも同様の手順で交換する。装着に際しては逆の手順で取付ける。この際、もし新規の絞りロールが正規の位置に取付けられないときは、上部の突出部２２ａは窓３１より突出しており、そのまゝ閉じることは出来ず、誤動作を防止することができる。
〔発明の効果〕
【００２２】
以上の如く本発明によるときは、上部絞りロールは揺動機構により支持され、該揺動機構の揺動により、下部絞りロールに対向する絞り位置と、それより外方の取外し位置とに選択して移行され、それぞれの位置に固定して保持するようにしたから、該上部絞りロールを着脱は極めて容易に行うことができる。
【００２３】
また第２の発明によるときは、上記揺動機構は、絞りロールの両端を支持する左右対をなす揺動腕と、左右の揺動腕の連結用操作バーとを備え、該操作バーをロール支持枠に形成された逆Ｕ字状の案内溝に添って移行することにより絞りロールを下部絞りロールに対し圧着する絞り位置と、下部絞りロールより離間した着脱位置とに容易に選択移行し、かつその位置を保持させることができる。
【００２４】
また第３の発明によるときは、揺動腕は上方に突出する突出部を形成し、揺動腕の揺動操作により上部絞りロールを取外し位置への移行時、該突出部は外方に突出した状態に保持される故、筐体の開閉扉を閉じることは出来ず、従って上部絞りロールが装着されていないか、または正規の作動位置に取付けられない状態を外部より確認することができる。
【図面の簡単な説明】
【００２５】
【図１】本発明の円盤洗浄装置の全体概略説明図である。
【図２】絞り機構の斜視図である。
【図３】絞りロールの支持部の説明縦断面図である。
【符号の説明】
【００２６】
１    円盤洗浄装置
１０ａ  上部絞りロール
１０ｂ  下部絞りロール
２０    揺動機構
２２    揺動腕
２２ａ  突出部
２４    案内溝
２５    操作バー
４    絞り機構
８    支持枠
【図１】
2004154594.tif 000003
【図２】
2004154594.tif 000004
【図３】
2004154594.tif 000005